(57)【要約】【課題】明るさの変動や汚れに強く、非侵襲、且つ、小型で生体情報を正確に分析できる生体情報分析装置を提供すること。【解決手段】生体検体に磁界を印加することで、生体検体が有する磁気特性に応じて、生体検体近傍の磁界の強さが変化し、その変化を磁気抵抗効果素子によって検出する。磁気抵抗効果素子によって得られた磁気信号を分析することで生体検体の生体情報を得ることができる。【選択図】図１
2015217144.tif 000002
【特許請求の範囲】
【請求項１】
生体検体に磁界を印加する磁界印加手段と、
前記生体検体に近接して配置され、前記生体検体近傍の磁界の強さを検出する磁気抵抗効果素子を有する磁気検出手段と、
前記磁界印加手段によって、前記生体検体に時間的に変化する磁界を印加することで、前記磁気検出手段から得られる磁気信号を分析することで前記生体検体の生体情報を得る分析手段と、
を備えることを特徴とする生体情報分析装置。
【請求項２】
前記磁気抵抗効果素子は、ＧＭＲ（Giant Magneto-Resistance）素子またはＴＭＲ（Tunnel Magneto-Resistance）素子であることを特徴とする、請求項１に記載の生体情報分析装置。
【請求項３】
前記磁界印加手段は、前記生体検体に時間的に変化する磁界を印加するための電流制御回路を備えることを特徴とする、請求項１または２に記載の生体情報分析装置。
【請求項４】
前記磁界印加手段は、コイルを備えることを特徴とする、請求項１乃至３のいずれかに記載の生体情報分析装置。
【請求項５】
前記分析手段は、前記磁気信号をフーリエ変換し、分析データとして記憶する記憶手段を備えることを特徴とする、請求項１乃至４のいずれかに記載の生体情報分析装置。
【請求項６】
前記記憶手段は、前記分析データを時系列的に記憶する機能を備えることを特徴とする、請求項５に記載の生体情報分析装置。
【請求項７】
前記記憶手段は、所定の時間を越えた場合、時系列的に最も古い前記分析データを削除し、最新の前記分析データを記憶する機能を備えることを特徴とする、請求項６に記載の生体情報分析装置。
【請求項８】
前記記憶手段は、生体検体の測定対象成分毎に、フーリエ変換後の標準データを予め記憶しておくことを特徴とする、請求項５に記載の生体情報分析装置。
【請求項９】
前記分析手段は、前記生体検体の血液の特定の成分に着目して、前記分析データの周期的な変動を基に前記生体検体の脈拍数を演算することを特徴とする、請求項５に記載の生体情報分析装置。
【請求項１０】
前記分析手段は、前記記憶手段に記憶された記憶データを選択的に出力する手段を備えることを特徴とする、請求項５に記載の生体情報分析装置。
【請求項１１】
前記分析手段は、前記記憶手段に記憶された記憶データを外部に送信する手段を備えることを特徴とする、請求項５に記載の生体情報分析装置。
【請求項１２】
前記磁界印加手段、前記磁気検出手段、前記分析手段に電力を供給するための二次電池を備えることを特徴とする、請求項１乃至１１のいずれかに記載の生体情報分析装置。
【請求項１３】
前記二次電池に電力を蓄えるための非接触給電用のコイルを備えることを特徴とする、請求項１２に記載の生体情報分析装置。
【請求項１４】
前記非接触給電用のコイルは、前記磁気印加手段が備えるコイルと兼用することを特徴とする、請求項１３に記載の生体情報分析装置。
【請求項１５】
前記二次電池に電力を蓄えるための太陽電池を備えることを特徴とする、請求項１２乃至１４のいずれかに記載の生体情報分析装置。
【発明の詳細な説明】
【技術分野】
【０００１】
本発明は、非侵襲で生体情報を分析する生体情報分析装置に関するものである。
【背景技術】
【０００２】
従来より、さまざまな医療現場で、生体検体の血液などの体液の成分や血液の酸素飽和度、代謝量、脈拍、脳波など（以下、生体情報とする）を測定する生体情報分析装置が用いられている。特に近年、健康意識の高まりとともに、生体検体の血液などの体液の成分を正確に、非侵襲で常時測定、分析する装置が求められている。
【０００３】
このような市場の要求から、生体検体の血液などの体液の成分を負担無く、非侵襲で常時測定、分析するために、より小型、軽量で身に付けられる、精度の高い分析装置が望まれている。
【０００４】
このような要求に対して、例えば特許文献１では、採血しないで光を用いて生体検体の血液の酸素飽和度を求めるパルスオキシメーターが示されている。このパルスオキシメーターは、発光素子より照射される光が、生体内を通り吸収、散乱をしながら、受光素子に到達する際の血中酸素の割合による吸光度の違いから、生体検体の血液の酸素飽和度を求めることが可能とされている。
【０００５】
また、他の生体情報分析装置としては、例えば特許文献２で示されているＳＱＵＩＤ（超伝導量子干渉素子）を用いた磁気イメージング装置が知られている。
【先行技術文献】
【特許文献】
【０００６】
【特許文献１】特開２００４−８９５４６号公報
【特許文献２】特開２００９−２９１３７５号公報
【発明の概要】
【発明が解決しようとする課題】
【０００７】
しかしながら、前述の特許文献１で開示されているパルスオキシメーターでは、光の吸光特性を利用して生体検体の血液の酸素飽和度を測定しているため、生体検体周辺の明るさの変動、生体検体の大きさ、肌の色の違いなどによって測定値が変わってしまい、正確に測ることができないという問題があった。また、パルスオキシメーターでは、発光素子と受光素子を用いるため、これらの素子および／または生体検体への汚れの付着により、測定精度が落ちるという問題があった。
【０００８】
一方、特許文献２の装置を用いた場合、ＳＱＵＩＤという高感度の磁気検出手段を用いているので汚れには強い反面、通常、液体ヘリウムや液体窒素による冷却が必要な超伝導を利用するため装置が大型化してしまうという問題があった。また、ＳＱＵＩＤは、生体検体が発する磁気信号を検出する素子であって、生体検体の血液などの体液の成分は測定できない。
【０００９】
本発明は、これらの課題を解決し、非侵襲、且つ、小型で生体情報を正確に分析することができる生体情報分析装置を提供することを目的とする。
【課題を解決するための手段】
【００１０】
本発明の生体情報分析装置は、生体検体に磁界を印加する磁界印加手段と、前記生体検体に近接して配置され、前記生体検体近傍の磁界の強さを検出する磁気抵抗効果素子を有する磁気検出手段と、前記磁界印加手段によって、前記生体検体に時間的に変化する磁界を印加することで、前記磁気検出手段から得られる磁気信号を分析することで前記生体検体の生体情報を得る手段と、を備えることを特徴とする。
【００１１】
本発明によれば、生体検体に磁界を印加することで、前記生体検体が有する磁気特性に応じて、前記生体検体近傍の磁界の強さが変化し、その変化を磁気検出手段である磁気抵抗効果素子によって前記生体検体の生体情報を磁気的に検出することが可能であるので、生体検体周辺の明るさの変動、磁気検出手段および／または生体検体への汚れの付着があっても、生体情報の測定を正確に行なうことができる。また、磁気抵抗効果素子を用いることにより、従来の超電導を利用した装置に比して小型化できる。
【００１２】
好ましくは、前記磁気抵抗効果素子は、ＧＭＲ（Giant Magneto-Resistance）素子またはＴＭＲ（Tunnel Magneto-Resistance）素子であることを特徴とする。
【００１３】
本発明によれば、前記磁気抵抗効果素子をＧＭＲ（Giant Magneto-Resistance）素子またはＴＭＲ（Tunnel Magneto-Resistance）素子とすることで、液体ヘリウムや液体窒素による冷却が必要な超伝導を利用した大型装置にすることなく、また、小電力で生体情報の検出が可能となるため、大型の電源は不要となり、小型の電池でも駆動できるので、小型、軽量で身に付けられる生体情報分析装置を構成できる。
【００１４】
さらに好ましくは、前記磁界印加手段は、前記生体検体に時間的に変化する磁界を印加するための電流制御回路を備えることを特徴とする。
【００１５】
本発明によれば、前記磁界印加手段は、前記生体検体に時間的に変化する磁界を印加するための電流制御回路を備えているので、前記生体情報の測定に必要な磁界を容易に印加することができる。
【００１６】
さらに好ましくは、前記磁界印加手段は、コイルを備えることを特徴とする。
【００１７】
本発明によれば、前記磁界印加手段のコイルに流れる電流の値およびパルス幅を制御することが容易となり、前記生体検体がない時に前記磁気検出手段が検出する磁界の強さを理論的に計算でき、前記生体検体がある時の磁界の強さと比較することで、前記磁気信号から前記生体情報を電気的に分析できる。
【００１８】
さらに好ましくは、前記分析手段は、前記磁気信号をフーリエ変換し、分析データとして記憶する記憶手段を備えることを特徴とする。
【００１９】
本発明によれば、前記分析手段は、前記磁気信号をフーリエ変換し、分析データとして記憶する記憶手段を備えているので、前記生体検体の血液などの体液の成分毎に異なる分析データを保持しておくことができる。これにより、前記磁気信号をそのままアナログ信号として記憶したり、あるいは、前記磁気信号を時系列的にＡ／Ｄ変換したデータを多数記憶する必要がなくなり、フーリエ変換後の周波数、信号の大きさ、位相などの必要な項目の数だけ分析データを記憶すればよいので、前記記憶手段の記憶容量を少なくすることができる。
【００２０】
さらに好ましくは、前記記憶手段は、前記分析データを時系列的に記憶する機能を備えることを特徴とする。
【００２１】
本発明によれば、前記記憶手段は、前記分析データを時系列的に記憶する機能を備えているので、所定の時間の時系列的な分析データを保持することができる。
【００２２】
さらに好ましくは、前記記憶手段は、所定の時間を越えた場合、時系列的に最も古い前記分析データを削除し、最新の前記分析データを記憶する機能を備えることを特徴とする。
【００２３】
本発明によれば、前記記憶手段は、所定の時間を越えた場合、時系列的に最も古い前記分析データを削除し、最新の前記分析データを記憶する機能を備えているので、常時最新の前記時系列的な前記分析データを保持することができる。
【００２４】
さらに好ましくは、前記記憶手段は、生体検体の測定対象成分毎に、フーリエ変換後の標準データを予め記憶しておくことを特徴とする。
【００２５】
本発明によれば、生体検体の測定対象成分毎に、フーリエ変換後の標準データを予め記憶しておくので、前記分析データと前記標準データと比較することで、前記生体情報を正確に測定することができる。
【００２６】
さらに好ましくは、前記分析手段は、前記生体検体の血液の特定の成分に着目して、前記分析データの周期的な変動を基に前記生体検体の脈拍数を演算することを特徴とする。
【００２７】
本発明によれば、前記分析手段は、前記生体検体の血液の特定の成分に着目して、前記
分析データの周期的な変動を基に前記生体検体の脈拍数を演算するので、前記生体情報の一つである脈拍を正確に測定することができる。
【００２８】
さらに好ましくは、前記分析手段は、前記記憶手段に記憶されている前記記憶データを選択的に出力する手段を備えることを特徴とする。
【００２９】
本発明によれば、前記分析手段は、前記記憶データを選択的に出力する手段を備えているので、必要なタイミングで必要な前記生体情報を取り出すことができる。
【００３０】
さらに好ましくは、前記分析手段は、前記記憶手段に記憶されている前記記憶データを外部に送信する手段を備えることを特徴とする。
【００３１】
本発明によれば、前記分析手段は、前記記憶データを外部に送信する手段を備えているので、外部の分析装置を用いて前記生体情報の詳細な分析が可能となる。
【００３２】
さらに好ましくは、前記磁界印加手段、前記磁気検出手段、前記分析手段に電力を供給するための二次電池を備えることを特徴とする。
【００３３】
本発明によれば、前記磁界印加手段、前記磁気検出手段、前記分析手段に電力を供給するための二次電池を備えているので、小型、軽量で身に付けながら、生体情報の測定を常時正確に行なうことができる。
【００３４】
さらに好ましくは、前記二次電池に電力を蓄えるための非接触給電用のコイルを備えることを特徴とする。
【００３５】
本発明によれば、前記二次電池に電力を蓄えるための非接触給電用のコイルを備えているので、日常生活において特段の負荷なく必要なタイミングで給電できるので、生体情報の測定を常時正確に行なうことができる。
【００３６】
さらに好ましくは、前記非接触給電用のコイルは、前記磁気印加手段が備えるコイルと兼用することを特徴とする。
【００３７】
本発明によれば、前記非接触給電用のコイルは、前記磁気印加手段として構成されたコイルと兼用するので、さらに小型、軽量にすることができる。
【００３８】
さらに好ましくは、前記二次電池に電力を蓄えるための太陽電池を備えることを特徴とする。
【００３９】
本発明によれば、前記二次電池に電力を蓄えるための太陽電池を備えているので、日常生活において特段の負荷なく、生体情報の測定を常時正確に行なうことができる。
【発明の効果】
【００４０】
以上のように、本発明によれば、非侵襲、且つ、小型で生体情報を正確に分析可能な生体情報分析装置を構成できる。
【図面の簡単な説明】
【００４１】
【図１】本発明の実施の形態による生体情報分析装置の断面を示した説明図である。
【図２】本発明の実施の形態による生体情報分析装置の外観図であり、（ａ）は上面図、（ｂ）は側面図である
【図３】本発明の実施の形態による生体情報分析装置の装着図である。
【図４】本発明の実施の形態による生体情報分析装置における波形図であり、（ａ）は印加した磁界の強さの波形、（ｂ）は磁気検出手段から得られる磁気信号波形である。
【図５】本発明の実施の形態による生体情報分析装置の各手段の関係を示すブロック図である。
【図６】本発明の実施の形態による生体情報分析装置のデータ分析のフローチャートである。
【発明を実施するための形態】
【００４２】
以下、本発明を、図面に示す実施形態に基づき説明する。なお、共通する要素には共通する符号を付し、重複する説明を省略する。また、上下左右等の位置関係は、相対的なものであり特に限定されず、上下左右が逆でも良いが、以下の説明では、図面の上下左右に基づき説明する。さらに、図面の寸法比率は、図示の比率に限定されるものではない。また、以下の実施の形態は、本発明を説明するための例示であり、本発明はその実施の形態のみに限定されるものではない。また、以下に記載した構成要素は適宜組み合わせることが可能である。
【００４３】
（第１実施形態）
図１は、本発明による生体情報分析装置の好適な一実施形態の構成を概略的に示す断面図であり、図５は、構成される各手段の関係を示すブロック図である。
【００４４】
この生体情報分析装置１０は、挿入穴２を有する指輪と同程度の円筒形状のハウジング１を有し、挿入穴２には図示しない生体検体が挿入される。
【００４５】
ハウジング１内部には、生体検体に磁界を印加するための磁界印加手段１１を構成するコイル３、磁気検出手段１２を構成するＴＭＲ素子４、分析手段１３などを構成する回路５が備え付けられている。
【００４６】
回路５には、コイル３に所定の値およびパルス幅を有する電流を流すための電流制御回路６、ＴＭＲ素子４を動作させるための電源回路７、ＴＭＲ素子４が出力する磁気信号を増幅する増幅回路８、増幅されて出力された磁気信号を電気的に分析する手段であるフーリエ変換機能を有するプロセッサ９が搭載されている。また、回路５には、スイッチ１５を経由して、磁界印加手段１１、磁気検出手段１２、分析手段１３に電力を供給するための二次電池１４が接続されている。さらに、分析データや標準データが記憶される記憶手段２０が設けられている。また、後述する実施形態における表示器１６や記憶手段２０に記憶されたデータを外部に送信する送信手段２１などもプロセッサ９に接続されている。
【００４７】
また、コイル３は、挿入穴２の周囲の同心円を巻回するように、例えば銅線が１０ターン巻かれて形成されている。
【００４８】
先ず、本実施形態による生体情報分析装置１０の、生体検体の成分分析動作を説明する。本実施形態では、生体検体の測定対象成分の一例を還元ヘモグロビンとし、分析する生体情報を酸素飽和度とする。
【００４９】
ここで、図示省略するが、生体検体を中指として、生体情報分析装置１０を装着した状態において、電流制御回路６からコイル３に予め定められた値およびパルス幅の電流を通電させると、コイル３の円の中心では、挿入穴２の円筒中心軸方向に、図４（ａ）のようなパルス状の磁界が生じ、中指に磁界が印加される。
【００５０】
中指には血液が流れており、血液を構成する一つの成分である還元ヘモグロビンが常磁性体であることから、パルス状の磁界が印加された直後、中指には磁化Ｍが生じる。この磁化Ｍに応じて、中指近傍の磁界の強さが変化するので、図４（ｂ）に示すような生体情報を含む磁気信号が、ＴＭＲ素子４から検出される。
【００５１】
検出した磁気信号を増幅回路８で増幅し、増幅されて出力された磁気信号を、プロセッサ９を用いてフーリエ変換し、周波数スペクトラムを求めると、還元ヘモグロビン固有の周波数ｆ０、信号の大きさＡ、位相φなどの分析データが得られる。生体情報分析装置１０には、還元ヘモグロビンの標準データが予め記憶されており、求められた分析データと標準データとに基づいて酸素飽和度の算出を行うことができる。
【００５２】
具体的には、標準データとして、還元ヘモグロビンの固有の周波数ｆ０における酸素飽和度１０％の時の信号の大きさＶ１、９０％の時の信号の大きさＶ２という値が予め記憶されている。この２つの標準データと、測定によって得られた信号の大きさＡから、測定されたデータの酸素飽和度Ｘ％を、式（１）を用いて線形補間して求めることが可能である。
Ｘ＝１０＋Ａ×（Ｖ２−Ｖ１）÷８０・・・（１）
【００５３】
同様の手順を用いることで、ヘモグロビン、ミオグロビン、チトクロームａａ3などの生体検体の成分の分析が可能である。これらの分析データからも酸素飽和度の算出を行なうことができる。
【００５４】
さらに、分析データを時系列的に記憶する記憶手段２０から、必要な記憶データとして酸素飽和度の時系列的な変化を選択的に出力させ、プロセッサ９で分析することで、酸素の代謝量を算出したり、代謝量から消費カロリー量を算出することが可能となる。
【００５５】
また、同様の手順を用いることで、その他の生体検体の成分の分析が可能である。ここでは、フーリエ変換後の還元ヘモグロビン固有の周波数ｆ０と信号の大きさＡだけから、式（１）を用いて、線形補間によって酸素飽和度を求めたが、さらに位相φを用いることで、異なる生体情報を得ることが可能である。なお、式（１）は、例示的に示した方法であって、生体検体の成分に応じて、補間式、固有の周波数ｆ０、信号の大きさＡ、位相φを適宜標準データとして予め記憶しておけば、より精度の高い測定が可能である。
【００５６】
（第２実施形態）
次に図２（ａ）および（ｂ）を用いて、本発明の第２の実施形態による生体情報分析装置１０を説明する。生体情報分析装置１０には、挿入穴２があり、図示しない生体検体が通せるように、円筒形状をしている。挿入穴２は腕に装着可能な大きさである以外は、第１実施形態と同様な構成を有すると共に、同様な作用効果を奏する。以下、第１実施形態と異なる部分についてのみ説明し、共通する部分の説明は省略する。
【００５７】
生体情報分析装置１０の上面には、電源投入、測定、表示の切り替えを行うためのスイッチ１５と、生体情報を表示する表示器１６が設けられている。表示器１６には、分析データに基づきプロセッサ９で算出された生体情報が表示される。ハウジング１はプラスチックでできた生体情報分析装置１０の外装である。
【００５８】
次に図３を用いて、本実施形態による生体情報分析装置１０の使用方法を説明する。挿入穴２には、腕１７が密着するように挿入されている。この姿勢のままで、スイッチ１５を押せば、図５に示す二次電池１４から電力が供給され、分析が開始される。
【００５９】
分析が開始されると、図６に示すフローチャートに従い、先ず、コイル３には、予め定められた値およびパルス幅の制御された電流が印加される（Ｓ１）。これに伴い、腕１７には時間的に変化する磁界が印加される（Ｓ２）。挿入穴２に腕１７が密着するように挿入されているので、ＴＭＲ素子４は、腕１７近傍の磁界の強さに応じた磁気信号を検出する（Ｓ３）。
【００６０】
検出された磁気信号は、増幅されてフーリエ変換機能を有するプロセッサ９で分析された後（Ｓ４）、分析データとして、複数の生体情報が記憶手段２０に記憶される（Ｓ５）。記憶手段２０からは、例えば酸素飽和度としての分析データを出力させることができるので（Ｓ６）、プロセッサ９によって、酸素飽和度の標準データと比較することで、分析された酸素飽和度を算出することができる（Ｓ７、Ｓ８）。これにより、算出されたデータを、酸素飽和度として、表示器１６に表示できる（Ｓ９）。
【００６１】
（第３実施形態）
次に、本発明の第３の実施形態による生体情報分析装置１０を説明する。図示省略するが、生体情報分析装置１０に用いられる磁気検出手段１２を構成する素子がＧＭＲ素子である以外は、第１実施形態と同様な構成を有すると共に、同様な作用効果を奏する。以下、第１実施形態と異なる部分についてのみ説明し、共通する部分の説明は省略する。
【００６２】
図示省略するが、コイル３に複数の時間的に等間隔で連続したパルス電流を流した時、生体検体の血液の特定の成分に着目すると、ＧＭＲ素子の出力を増幅して得られた磁気信号のフーリエ変換後の分析データとして、信号の大きさＡ１、Ａ２、…、Ａｎ、…、Ａｔが得られる。生体検体の血液には常磁性体が含まれており、その量は生体検体の脈動に応じて周期的に変化するので、分析データの信号の大きさにも周期的な変化が現れる。この周期的な変化を分析し、例えば信号の大きさがＡ１とＡｎの時に極小値を示した場合、Ａ１とＡｎの時間差から、生体検体の脈拍数を演算することができる。
【００６３】
（第４実施形態）
次に、図示省略するが、本発明の第４の実施形態による生体情報分析装置１０を説明する。生体情報分析装置１０に用いられる分析手段１３を構成する記憶手段２０が、時系列的に最も古い分析データ削除し、最新の分析データを記憶する機能を有する以外は、第２実施形態と同様な構成を有すると共に、同様な作用効果を奏する。以下、第２実施形態と異なる部分についてのみ説明し、共通する部分の説明は省略する。
【００６４】
これにより、第２実施形態と異なり、スイッチ１５を押した直後の生体情報のみならず、１時間、１日、１週間といった、長時間に亘る生体情報の変化を記憶することが可能となる。
【００６５】
また、図示省略するが、分析手段１３には、記憶データを外部に送信する手段が接続されている。これにより、図示しない外部の分析装置を用いて、運動時、安静時、睡眠時など、長時間に亘る生体情報の分析が可能となり、日常の健康管理や、意識しない体調の異常検出などに活用することができる。
【００６６】
（第５実施形態）
次に、図示省略するが、本発明の第５の実施形態による生体情報分析装置１０を説明する。生体情報分析装置１０に用いられる二次電池１４には、図示しないが、非接触給電装置から電力を供給されるための非接触給電用コイルが接続されていること以外は、第１実施形態と同様な構成を有すると共に、同様な作用効果を奏する。以下、第１実施形態と異なる部分についてのみ説明し、共通する部分の説明は省略する。
【００６７】
これにより、１時間、１日、１週間といった、長時間に亘る生体情報の変化を記憶する際に、適宜非接触給電装置から非接触給電用コイルを介して二次電池に電力を供給し、蓄えることができるので、測定の途中で分析データが消去される恐れがなくなる。
【００６８】
（第６実施形態）
次に、図示省略するが、本発明の第５の実施形態による生体情報分析装置１０を説明する。生体情報分析装置１０に用いられる二次電池１４には、磁界印加手段１１を構成するコイル３が、非接触給電装置から電力を供給されるための非接触給電用コイルの機能を兼用すること以外は、第１実施形態と同様な構成を有すると共に、同様な作用効果を奏する。以下、第１実施形態と異なる部分についてのみ説明し、共通する部分の説明は省略する。
【００６９】
これにより、別に非接触給電用コイルを設ける必要がなくなるので、より小型、軽量な生体情報分析装置１０を構成することができる。
【００７０】
（第７実施形態）
次に、図示省略するが、本発明の第７の実施形態による生体情報分析装置１０を説明する。生体情報分析装置１０に用いられる二次電池１４には、図示しないが、太陽電池が接続されていること以外は、第１実施形態と同様な構成を有すると共に、同様な作用効果を奏する。以下、第１実施形態と異なる部分についてのみ説明し、共通する部分の説明は省略する。
【００７１】
これにより、１時間、１日、１週間といった、長時間に亘る生体情報の変化を記憶する際に、適宜太陽電池から二次電池に電力を供給し、蓄えることができるので、測定の途中で分析データが消去される恐れがなくなる。
【００７２】
なお、本発明は、上述した実施形態に限定されるものではなく、本発明の範囲内で種々に改変することができる。
【産業上の利用可能性】
【００７３】
以上説明した通り、本発明の生体情報分析装置によれば、さまざまな医療現場、および、日常生活で、生体検体の血液などの体液の成分を正確に、非侵襲で常時測定、分析できるので、日々の健康管理や体調の異常検出のために用いることができる。
【符号の説明】
【００７４】
１… ハウジング
２… 挿入穴
３… コイル
４… ＴＭＲ素子
５… 回路
６… 電流制御回路
７… 電源回路
８… 増幅回路
９… プロセッサ
１０… 生体情報分析装置
１１… 磁界印加手段
１２… 磁気検出手段
１３… 分析手段
１４… 二次電池
１５… スイッチ
１６… 表示器
１７… 腕
２０… 記憶手段
２１… 送信手段
【図１】
2015217144.tif 000003
【図２】
2015217144.tif 000004
【図３】
2015217144.tif 000005
【図４】
2015217144.tif 000006
【図５】
2015217144.tif 000007
【図６】
2015217144.tif 000008